(57)【特許請求の範囲】
【請求項１】
発射レールを介して弾球器により球を発射する球発射装置と、発射レールから受け入れた球を遊技盤の遊技領域に案内する外レールとを備えた弾球遊技機において、
一端にヒンジ部を有した取付ベースを、遊技機枠の一側に水平回動自在に設けるとともに、この取付ベースの前面に発射レールを有する球発射装置と、発射レールに続く外レールとを、ファール球を回収するためのファール球回収口を挟んで配設したうえに、取付ベースの裏側には遊技機枠の他側に向けて開口した差し込み凹部を設けて、この差し込み凹部に遊技領域が形成された遊技盤を挿着したことを特徴とする弾球遊技機。
【請求項２】
前記外レールを、長手方向を徐々に曲率半径の小さくなる円弧形状に曲成したことを特徴とする請求項１に記載の弾球遊技機。
【発明の詳細な説明】
【技術分野】
【０００１】
本発明は、遊技盤を着脱式で交換可能な弾球遊技機に関するものである。
【背景技術】
【０００２】
パチンコ機即ち弾球遊技機として、特許文献１に示すような円形状の遊技領域が設けられた遊技盤を着脱式で交換可能としたものが知られている。この方式のものにおいて、遊技盤は外枠に開閉自在に取り付けられた遊技機枠に対して裏側から着脱式で交換される。しかしながら、遊技機枠の裏側には、貯留タンク、球整列レール、球払出装置などを備えた機構盤が配設されており、遊技盤の着脱に際してはこれを取り外す必要があるため、作業に手間取っていた。特に、ホールにおける作業においては、貯留タンクに球が入っているためにこれを抜く必要があるうえに、遊技機枠の開放角度が小さいために裏側から作業がしづらく、そのため作業性がたいへん悪いという問題があった。
【０００３】
以上のような問題点を解決するものとして、特許文献２には遊技機の遊技機枠の一側に保持部を回動自在に設け、この保持部に前面側から差し込み式で遊技盤を装着するようにしたものが開示されている。しかしながら、このものにおいては、発射装置側の発射レール（一次レール）と遊技盤側の外レール（二次レール）とが別個の基板に装着されているために、組み立て後にレール同士の中心位置がずれやすく、弾球が外レールに衝突したり、弾球軌道がぶれて安定しないという問題がある。
【０００４】
特許文献３には、発射レールと外レールとをレールベースに一体に設けたものが開示されている。このものは、レール同士の中心位置合わせが不要となって、発射球が外レールに衝突したり、弾球軌道が不安定になるという問題は解消できる。しかしながら、レールベースは遊技盤に着脱自在に設けられているので、条件の悪いパチンコホールでは遊技盤を交換する時に、レールベースを古い遊技盤から取り外して新しい遊技盤に取り付ける事は、工数・品質管理の面から実際には非常に困難であるという問題があった。
【先行技術文献】
【特許文献】
【０００５】
【特許文献１】特開２００３−１８１０７９号公報      （図３）
【特許文献２】特開２００１−３２７７１７号公報      （図３）
【特許文献３】特開２００２−６５９６８号公報        （図１）
【発明の概要】
【発明が解決しようとする課題】
【０００６】
本発明は、上記した従来の問題点に鑑み、遊技盤交換後においても発射レールと外レールとの中心位置がずれることがなく、且つ遊技盤交換の作業性が良好な弾球遊技機を提供することを課題とする。
【課題を解決するための手段】
【０００７】
上記の課題を解決するためになされた本発明に係る弾球遊技機は、発射レールを介して弾球器により球を発射する球発射装置と、発射レールから受け入れた球を遊技盤の遊技領域に案内する外レールとを備えた弾球遊技機において、
一端にヒンジ部を有した取付ベースを、遊技機枠の一側に水平回動自在に設けるとともに、この取付ベースの前面に発射レールを有する球発射装置と、発射レールに続く外レールとを、ファール球を回収するためのファール球回収口を挟んで配設したうえに、取付ベースの裏側には遊技機枠の他側に向けて開口した差し込み凹部を設けて、この差し込み凹部に遊技領域が形成された遊技盤を挿着したことを特徴とするものである。
【０００８】
上記した発明において、前記外レールを、長手方向を徐々に曲率半径の小さくなる円弧形状に曲成している。
【発明の効果】
【０００９】
請求項１に係る発明は、発射レールと外レールとが位置決めされて一つの平面に固定されているので、レール同士の中心位置がずれることはなく、弾球軌道が安定する。さらに、遊技盤は取付ベースに差し込み式で装着されるので、遊技盤交換の作業性が良好であるという利点を有する。
請求項２に係る発明は、発射球の減速による遠心力の低下を軽減できるため発射球が遊技領域に到達するまで外レールに沿って移動する。
【図面の簡単な説明】
【００１０】
【図１】本発明の弾球遊技機の開放状態を示す斜視図である。
【図２】取付ベースが装着された遊技機枠の斜視図である。
【図３】取付ベースの前面側の斜視図である。
【図４】取付ベースの背面側の斜視図である。
【図５】発射装置が配設された取付ベースの斜視図である。
【図６】発射レールと外レールが配設された取付ベースの斜視図である。
【図７】遊技盤の前面側の斜視図である。
【図８】遊技盤の背面側の斜視図である。
【図９】遊技盤の装着途中を示す弾球遊技機の斜視図である。
【図１０】遊技盤が装着された弾球遊技機の斜視図である。
【発明を実施するための形態】
【００１１】
以下に、本発明の実施形態について説明する。
図１は、本発明の弾球遊技機が開放された状態を示す斜視図であって、１はガラス窓１１を有する前面枠、３は遊技機枠である。遊技機枠３の内側には、取付ベース４が水平回動自在に軸着され、この取付ベース４に遊技盤５が側方から差し込まれて装着されている。以下、前面枠１側を前方、遊技機枠３側を後方とし、左右および上下は、弾球遊技機を前方から見た状態を基準として説明する。
【００１２】
図２は、取付ベース４が装着された遊技機枠３を示す図であって、遊技機枠３には、遊技盤５装着用の窓部３１が設けられ、窓部３１の上部には、段差３２をもって嵌め込み凹部３３が形成されている。また、窓部３１の下面３４には、前方から後方にかけて高く傾斜する突条３５が複数本形成されており、窓部３１に嵌め込まれた遊技盤５を上方に押し上げてがたつくことなく堅固に保持する構造となっている。
【００１３】
図３、４は、取付ベース４の詳細を示す図であって、取付ベース４は、金属板で形成された前面４１と、その上下端に後方に向ってコの字状に折り曲げて形成された差し込み凹部４２とを有する。差し込み凹部４２の入口には、遊技盤５の差し込みを容易とするために入口から外側に向って斜めに折り曲げられて形成されたガイド板４５が設けられている。前面４１の右側一端は、円形状の遊技領域に対応して湾曲部４４が形成されている。取付ベース４の下部には、球発射装置６固定用のねじが４本設けられている。また、取付ベース４は左側部の側板４３を有し、側板４３には遊技盤５の上下方向の位置を決めるための突部４６が形成されている。
【００１４】
差し込み凹部４２の左右方向の長さは、遊技盤５の曲がりによる脱着不良に対応するため遊技盤５の左右方向の長さに比べて必要最低限の短いものとしてある。さらに、差し込み凹部４２の前後方向の長さは、遊技盤５の厚みの変動に対応するために若干の遊び空間が生ずるように遊技盤５の厚みよりも１ｍｍ程度厚くしてある。また、前面４１の左端部には、上方と下方にヒンジ部４７が設けられ、これらのヒンジ部４７が遊技機枠３の内側に装着されて、取付ベース４は水平回動することができる。
【００１５】
取付ベース４の前面４１には、図５に示すように、発射装置６と長手方向を徐々に曲率半径の小さくなる円弧形状に曲成された外レール７とが設けられている。発射装置６は、弾球されたが後述する遊技領域５１に到達せずにファール球となった球を回収するためのファール球回収口６３が形成されたケーシング６４を有し、このケーシング６４の内部に、発射レール６１と、発射レール６１上の球を弾球するプランジャ型ソレノイド即ち弾球器６２とが配設されている（図６）。外レール７はステンレスまたはスーパーエンジニアリングプラスチックで形成されており、断面が円弧形状になっている。発射レール６１が固定された発射装置６と外レール７とは、ファール球回収口６３を挟んで同一平面である前面４１の所要位置に固定されているので、遊技盤５の交換に際しても、弾球軌道の中心位置がずれることはない。なお、弾球器６２として、直動式の槌に代わって回動式の槌を用いることができる。
【００１６】
図７に示すように遊技盤５は、全体形状角形で内レール８に囲まれて遊技領域５１が形成されている。遊技盤５は、上辺５２、底辺５３を有し、それぞれの左側端部に上縁コーナー５４、下縁コーナー５５が形成されている。上縁コーナー５４、下縁コーナー５５をガイド板４５によって案内させながら差し込み凹部４２に右側から挿通することによって、遊技盤５を取付ベース４に取り付けることができる（図９、１０）。このとき、湾曲部４４は内レール８と同一形状に形成されており、内レール８と外レール７との間には、発射球の通路が形成される。内レール８の終端には、遊技領域５１から発射球の通路に球が戻ることを防止するための戻り防止弁８１が配設されている。なお、内レール８の左側の一部、および、戻り防止弁８１を遊技盤５ではなく取付ベース４に設けてもよい。
【００１７】
そして、ヒンジ部４７を中心にして遊技盤５の右側を後方に向って回動させて窓部３１に嵌め込む。これによって、底辺５３が前記した突条３５によって上方に押し上げられて上辺５２が遊技機枠３の内側に当接された状態で、遊技盤５の上部が嵌め込み凹部３３に嵌め込まれる。さらに、クランプ部材９を回して締め付けることによって、遊技盤５をがたつくことなく遊技機枠３に装着することができる。
【００１８】
以上のように、遊技盤５を取付ベース４に差し込んだうえ後方に回動するだけで遊技機枠３に装着することができるので、遊技盤５の交換に際して機構盤の取り外しや球タンクからの玉抜きを必要とせず、交換作業を簡単に行うことができる。このとき、発射レール６１と外レール７は取付ベース４の前面４１の所定位置に固定されているので、遊技盤５の交換によってレール同士の中心位置がずれたりすることは全くない。
【符号の説明】
【００１９】
３  遊技機枠、４  取付ベース、５  遊技盤、６  球発射装置、７  外レール、４１  取付ベースの前面、５１  遊技領域、６１  発射レール、６２  弾球器
【図１】
0005750576.tif 000002
【図２】
0005750576.tif 000003
【図３】
0005750576.tif 000004
【図４】
0005750576.tif 000005
【図５】
0005750576.tif 000006
【図６】
0005750576.tif 000007
【図７】
0005750576.tif 000008
【図８】
0005750576.tif 000009
【図９】
0005750576.tif 000010
【図１０】
0005750576.tif 000011